(57)【要約】      （修正有）【課題】見た目が普通の宝石となんら異ならず、しかも日常的に故人や亡きペットと触れ合うことができ、毎日、人知れず供養することが可能な宝石を提供すること。また、友人や知人、交際相手等の縁故者、あるいはペットとの一体感や親密感を感じられるアクセサリーを提供する。【解決手段】故人や亡くなったペット等の身体形成物を混合したうえで硬化された液状ガラスにより被覆して宝石１を構成した。また故人や亡くなったペット等の遺品を混合したうえで硬化された液状ガラスにより被覆して宝石を構成した。前記宝石において、常温に於いて液状体であり、空気中に於いて常温又は所定温度で所定時間経過後に硬化する液状ガラスを用いて構成した。【選択図】図１
0003195342.tif 000002
【実用新案登録請求の範囲】
【請求項１】
故人や亡くなったペット等の身体形成物、あるいは縁故者やペットの身体形成物を混合したうえで硬化された液状ガラスにより被覆されていることを特徴とする宝石。
【請求項２】
故人や亡くなったペット等の遺品、あるいは縁故者の所持物やペットの身の回り品を混合したうえで硬化された液状ガラスにより被覆されていることを特徴とする宝石。
【請求項３】
液状ガラスは、常温に於いて液状化した二酸化ケイ素からなる液状体であり、空気中に於いて常温又は所定温度で所定時間経過後に硬化することを特徴とする請求項１又は２に記載の宝石。
【考案の詳細な説明】
【技術分野】
【０００１】
本考案は宝石に関し、より詳しくは故人や亡きペット等の遺骨、遺灰、遺品等、あるいは縁故者やペットの毛髪、爪、皮膚その他身体の一部を含有する宝石に関する。
【背景技術】
【０００２】
ペットロスや親しい縁者の死による大きな精神的苦痛を軽減するため、遺骨の一部を常時携帯することがある。具体的にはペンダントトップやチャームとして使用するピルケースやピルケース型の金属ケースに故人や亡きペットの遺骨、遺灰を収納して手元供養するカロートネックレスなるものが市販されている。
【０００３】
この種のネックレスは、これを首に装着すれば、日常的に故人や亡きペットと触れ合うことができ、毎日、人知れず供養することができるというものである。
【０００４】
特許文献１には、光硬化型化学合成樹脂と光照射装置により人の毛髪や骨を密封埋封保存したメモリアル装身具が開示されている。
【０００５】
特許文献２には、硬化性を有する成型用樹脂により所定の形状に成型されたアクセサリーに遺骨を埋め込んだ装飾品が開示されている。
【０００６】
特許文献３には、真珠ルースの頂部にアクセサリーチェーン等にぶら下げるための金具が取り付けられた真珠のアクセサリーであって、真珠ルースの内部に、その内部が頂部側から刳り貫かれて遺骨の砕片や遺灰を収納するための空洞が形成されると共に、該空洞の入口が開口する真珠ルースの頂部に、前記空洞の入口に雌ねじ穴を配したナットが固設され、前記金具が、前記ナットと螺合するボルトを有し、該ボルトの頭部が、前記ナットを覆い隠す傘型形状に形成された真珠のアクセサリーが開示されている。
【先行技術文献】
【特許文献】
【０００７】
【特許文献１】特開２００６−２５５３６７号公報
【特許文献２】特開２００５−２７７１４号公報
【特許文献３】実用新案登録第３１３９４７７号公報
【考案の概要】
【考案が解決しようとする課題】
【０００８】
上記カロートネックレスは、そのケース内部に遺骨等が収納されていることが、他者に
も分かることから、心理的圧迫感を与える恐れがある。
【０００９】
そこで本考案は、見た目が普通の宝石となんら異ならず、しかも日常的に故人や亡きペットと触れ合うことができ、毎日、人知れず供養することが可能な宝石を提供することを目的とする。また、友人や知人、交際相手等の縁故者、あるいはペットとの一体感や親密感を感じられるアクセサリーを提供することを目的とする。
【課題を解決するための手段】
【００１０】
上記の目的を達成する本考案の構成は次の通りである。
【００１１】
（１）  請求項１に記載の考案は、故人や亡くなったペット等の身体形成物、あるいは縁故者やペットの身体形成物を混合したうえで硬化された液状ガラスにより被覆して宝石を構成した。
【００１２】
（２）  請求項２に記載の考案は、故人や亡くなったペット等の遺品、あるいは縁故者の所持物やペットの身の回り品を混合したうえで硬化された液状ガラスにより被覆して宝石を構成した。
【００１３】
（３）  請求項３に記載の考案は、請求項１又は２に記載の宝石において、常温に於いて液状化した二酸化ケイ素からなる液状体であり、空気中に於いて常温又は所定温度で所定時間経過後に硬化する液状ガラスを用いて構成した。
【考案の効果】
【００１４】
請求項１記載の考案によれば、故人や亡くなったペット等の身体形成物、あるいは縁故者やペットの身体形成物を含む硬化された液状ガラスによって宝石の周囲を被覆しており、図１に示されるように、見た目が通常の宝石と異ならない。それ故、例えば当該宝石を指輪に装着し、身に着ければ第三者に違和感を与えることなく、しかも日常的に故人や亡きペットと触れ合うことができ、毎日、人知れず供養することが可能な宝石を提供することが可能となるのである。
【００１５】
また、友人や知人、交際相手等の縁故者の身体形成物を含有し、あるいはペットの身体形成物を含有する宝石を身につけることで、一体感や親密感を感じることが可能となるのである。
【００１６】
同様に、請求項２記載の考案によれば、故人や亡くなったペット等の遺品、あるいは縁故者の所持物やペットの身の回り品を含む硬化された液状ガラスによって宝石の周囲を被覆しており、第三者に違和感を与えることなく、しかも日常的に故人や亡きペット、あるいは縁故者やペットと触れ合い、例えば当該宝石を指輪に装着し身に着ければ、毎日、人知れず供養することが可能な、あるいは日常的に一体感や親密感を感じることがことが可能な宝石を提供することが可能となるのである。
【００１７】
請求項３記載の考案は、常温に於いて液状ガラスを被覆し、液状ガラスを常温又は所定温度で所定時間経過後に硬化させることができるので、含有される身体形成物や遺品、所持品・身の回り品に損傷を与えることを防止可能なものとなる。
【００１８】
更には、本考案によれば宝石を保護することが可能という効果も有するものである。
【００１９】
例えばダイヤモンドは熱に弱く、変色や変形、気化する恐れがある。しかるに本考案によれば、常温でガラスにより被覆することが可能となり、耐熱性や耐久性、耐候性を付与することが可能となるのである。
【００２０】
その他、本考案によれば、宝石自身あるいは液状ガラスの中に封入する身体形成物等を保護すること、具体的には耐酸性、不燃性、耐水性、防湿性、耐摩耗性、耐汚染性、防カビ性、防虫性等の作用を及ぼすことが可能となるものである。
【図面の簡単な説明】
【００２１】
【図１】本考案にかかる宝石の斜視図
【図２】Ａ−Ａ線断面図
【図３】本考案の実施形態を示す一部断面図
【考案を実施するための形態】
【００２２】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２３】
本考案にかかる宝石１は、図２に示すように液状ガラスに、故人や亡くなったペット等の身体形成物あるいは遺品、あるいは縁故者の所持物やペットの身の回り品を、粉末状や細分化し、あるいは燃焼炭化させたうえで混合し、当該混合された液状ガラス３を宝石本体２に塗布して硬化させ、被覆するものである。
【００２４】
ここに、被覆とは図２に示すように宝石１全体を覆う場合のみならず、図３に示すようにダイヤカットを施した宝石の一部を覆う場合や、液状ガラス硬化物である成型品に、宝石を嵌め込むような場合を含む広義の概念である。
【００２５】
上記身体形成物としては、遺骨や遺毛、爪、皮膚、歯等が使用可能である。
【００２６】
遺品や所持品、身の回り品としては、故人や縁故者、ペットの衣服、日常的に身につけていたもの、大切にしていたもの、その他粉末状あるいは細分化、炭化することが可能なものであれば、任意の品を使用可能である。
【００２７】
宝石本体２としては、天然鉱物あるいは模造石を使用可能である。
【００２８】
液状ガラスとしては、常温で硬化可能な汎用の液状ガラス、例えば加水分解可能な有機金属化合物を、水と有機溶媒とからなる反応液中において、ホウ素イオンの存在下にハロゲンイオンを触媒とし、ｐＨを４．５〜５．０に調整しながら加水分解、脱水縮合させたものなどを利用可能である。
【００２９】
また、請求項３に記載の液状ガラスは、常温に於いて液状化した二酸化ケイ素（ＳｉＯ２）からなる液状体であり、シンナー等の溶剤で溶解させることができ、空気中に於いて常温又は所定温度で所定時間経過後に硬化するものである。
【００３０】
かようにして形成した宝石を、指輪に装着したり、ペンダントトップとして用いたり、その他通常の宝石と同様の方法でアクセサリー化することで、装飾品として実施することも可能なものである。
【符号の説明】
【００３１】
１・・宝石
２・・宝石本体
３・・液状ガラス硬化物
【図１】
0003195342.tif 000003
【図２】
0003195342.tif 000004
【図３】
0003195342.tif 000005